(57)【要約】【課題】複数の極細のディスクリート線を使用して、コネクタの端子と複数のディスクリート線とを簡単な方法で正確に位置決めしてから導通接続できるコネクタ付きのケーブルを提供する。【解決手段】線材５０は、予め、冶具により、ディスクリート線５１の間隔をコネクタ３０の端子３２のピッチに合わせて粘着フィルム５２で連結固定される。また、ディスクリート線５１の長手方向とコネクタ３０とを位置きめするための粘着フィルム５２の位置合わせ端部５２ａの位置も予め冶具により決められている。この粘着フィルム５２により連結固定されたディスクリート線５１を、コネクタ３０の直交方向位置合わせ溝３１ｂに保持し、かつ、粘着フィルム５２の位置合わせ端部５２ａをコネクタ３０の長手方向位置合わせ端部３１ａに突き当てて保持して位置合わせし、その状態で、ディスクリート線５１の芯線５１ａとコネクタ３０の端子３２をハンダ付けする。【選択図】図３
2008300085.tif 000002
【特許請求の範囲】
【請求項１】
複数の線材と当該線材が接続されるコネクタを有するケーブルであって、
前記コネクタは、
前記線材の長手方向に直交する直交方向に所定の間隔で配置された複数の端子と、
前記端子から前記長手方向の所定の位置で前記直交方向に沿った長手方向位置合わせ端部とを備え、
前記複数の線材は、矩形の粘着テープにより前記長手方向の所定の幅で前記直交方向に沿って連結固定され、
前記粘着テープの前記直交方向に沿った端部と前記コネクタの長手方向位置合わせ端部が略突き当たった状態で保持され、前記線材と前記端子とが導通接合している
ことを特徴とするケーブル。
【請求項２】
複数の線材と当該線材が接続されるコネクタを有するケーブルであって、
前記コネクタは、
前記線材の長手方向に直交する直交方向に所定の間隔で配置された複数の端子と、
前記端子から前記長手方向の所定の位置で前記直交方向に沿った長手方向位置合わせ端部と、
前記複数の端子の前記直交方向の配置に合った直交方向位置合わせ溝部とを備え、
前記複数の線材は、矩形の粘着テープにより前記長手方向の所定の幅で前記直交方向に沿って前記端子の所定の間隔と同じ間隔で連結固定され、
前記連結固定された複数の線材が前記コネクタの直交方向位置合わせ溝部に保持され、前記粘着テープの前記直交方向に沿った端部と前記コネクタの長手方向位置合わせ端部が略突き当たった状態で保持され、前記線材と前記端子とが導通接合している
ことを特徴とするケーブル。
【請求項３】
更に、
前記線材および粘着テープを覆うように配置されて前記コネクタに取り付けられる保護シェルを有し、
前記保護シェルは、前記粘着テープに接する面が摩擦増加加工された面であることを特徴とする請求項１又は２に記載のケーブル。
【請求項４】
第１の筐体と第２の筐体が自在に係合される携帯端末であって、
請求項１又は２のケーブルを前記第１の筐体と第２の筐体間の電気信号の接続用に使用することを特徴とする携帯端末。
【請求項５】
複数の線材と当該線材が接続されるコネクタを有するケーブルの製造方法であって、
前記複数の線材の先端を揃えて線材の長手方向に並行した状態で、前記先端から前記長手方向の所定の位置にある部分を矩形の粘着テープにより前記長手方向の所定の幅で前記長手方向に直交する直交方向に沿って連結固定し、前記線材の先端部分の所定の長さの被覆を削除して芯線を出す工程と、
前記コネクタを冶具に保持する工程と、
前記連結固定された線材を前記冶具に保持されたコネクタの上に置き、前記粘着テープの前記直交方向に沿った端部を前記冶具の前記直交方向に沿った長手方向位置合わせ端部に突き当てて位置合わせを行う工程と、
前記線材の芯線を前記コネクタの端子に導通接合する工程とを
備えたことを特徴とするケーブルの製造方法。
【発明の詳細な説明】
【技術分野】
【０００１】
本発明は、折り畳み式の携帯端末等で上下筐体間の電気信号の接続用に使用されるコネクタ付きのケーブル、当該ケーブルを搭載した携帯端末、および当該ケーブルの製造方法に関する。
【背景技術】
【０００２】
（背景技術１）
レボルバー形や折り畳み形などの複数の筐体から成る携帯電話の上下筐体間インターフェースには、４０本程度を束ねた細線同軸線ハーネスが多用されている。しかし、細線同軸線とそのコネクタは高価で、また０．２６〜０．３１Φと太く硬い、また重い、また芯線が細い為に電気抵抗が大きい、等のデメリットが有った。
【０００３】
（背景技術２）
圧接コネクタ付きのツイスト電線がある（例えば、特許文献１参照。）。この特許文献１の圧接コネクタ付きのツイスト電線での、圧接コネクタとツイスト電線との接続方法は、圧接コネクタ１５の端子のピッチＰに合うように、ツイスト電線１１の間隔ｄを冶具１３で合わせて、ラミネートフィルム１２で維持する。そして、圧接コネクタ１５とツイスト電線１１を圧接している。  
特許文献１には、圧接コネクタ１５の端子のピッチとツイスト電線１１の電線間隔をどのように合わせるかの記載はあるが、圧接コネクタ１５全体とツイスト電線１１全体をどのように位置決めしてから圧接するかの記載はない。
【特許文献１】特開２００２−２４７７２５号公報（第２〜３頁、図１〜図３）
【発明の開示】
【発明が解決しようとする課題】
【０００４】
背景技術１の携帯電話の上下筐体間インターフェース用の本数の多いケーブルとして、細線同軸線ではなく、背景技術２（特許文献１）のようなディスクリート線を適用する場合、コネクタ全体とディスクリート線全体をどのように位置決めして接続するかの記載はない。
【０００５】
本発明は、従来の問題点を解決して、複数の極細のディスクリート線を使用して、コネクタの端子と複数のディスクリート線とを簡単な方法で正確に位置決めしてから導通接続できるコネクタ付きのケーブル、当該ケーブル搭載の携帯端末、および当該ケーブルの製造方法を提供することを目的とする。
【課題を解決するための手段】
【０００６】
上記目的を達成するために、本発明のケーブルは、複数の線材と当該線材が接続されるコネクタを有するケーブルであって、前記コネクタは、前記線材の長手方向に直交する直交方向に所定の間隔で配置された複数の端子と、前記端子から前記長手方向の所定の位置で前記直交方向に沿った長手方向位置合わせ端部とを備え、前記複数の線材は、矩形の粘着テープにより前記長手方向の所定の幅で前記直交方向に沿って連結固定され、前記粘着テープの前記直交方向に沿った端部と前記コネクタの長手方向位置合わせ端部が略突き当たった状態で保持され、前記線材と前記端子とが導通接合していることを特徴とする。
【発明の効果】
【０００７】
本発明によれば、細くてフレキシビリティーに富んだディスクリート線を多数用いたコネクタ付きのケーブルにおいて、ディスクリート線とコネクタとを簡単な方法で正確に位置決めしてから接続できる。
【発明を実施するための最良の形態】
【０００８】
以下、本発明の実施例を、図面を参照して説明する。  
図１は、本発明の実施例に係る携帯端末の構造図であり、「Ａ：正面図」、「Ｂ：ケーブル接続」、「C：側面図」を示す。携帯端末１００は、折り畳み式の構造であり、上筐体１と下筐体２がヒンジ３により回動自在に係合している。
【０００９】
「Ａ：正面図」に示すように、上筐体１には、音声レシーバ４、表示部５などが配置される。また、上筐体１の背面側には、カメラ６などが配置される。下筐体２には、操作キー７などが配置される。
【００１０】
「Ｂ：ハーネス接続」に示すように、上筐体１の内部には上基板８が配置され、下筐体２の内部には、主基板９が配置される。そして、上基板８と主基板９は、ケーブル２０により電気的に接続される。ケーブル２０は、コネクタ付きケーブルであり、コネクタ３０、コネクタ４０、及び線材５０などにより構成される。
【００１１】
ケーブル２０は、ヒンジ３の内部を通して、配線される。上基板８と主基板９には、ケーブル２０のコネクタ３０、コネクタ４０と脱着勘合するコネクタ（図示せず）が搭載されているが、以降の説明では省略する。
【００１２】
「C：側面図」に示すように、下筐体２の内部には、主基板９が配置され、主基板９には、制御部１０などが搭載される。上基板８と主基板９とは、ケーブル２０を経由して、電源、音響信号、表示データやカメラデータなどの送信受信が行われ、その本数は４０本程度と多い。
【００１３】
したがって、ケーブル２０の線材５０は、軽薄短小、軽くて、柔軟性に富んだものが必要とされる。このケーブル２０の構造について以降、詳しく説明する。  
図２は、本発明の実施例に係るコネクタ付きケーブルにおいて、コネクタの端子に線材をハンダ付けする前の線材の前加工を説明する図である。線材５０は、ディスクリート線を４０本程度集めたものである。図では、本数を少なくして説明している。また、ケーブル２０の一方のコネクタ３０に接続する端部部分についてのみ説明する。
【００１４】
図２（Ａ）は、前工程１であり、左が平面図、右がＸ−Ｘ矢視の側面図である。前工程１では、複数のディスクリート線５１を、コネクタの端子ピッチに合うように、粘着フィルムで固定する工程である。前工程用冶具７０は、コネクタ３０の端子のピッチに合ったＵ溝７１が形成されている。
【００１５】
まず、図２（Ａ）の右側のように、Ｕ溝７１に複数のディスクリート線５１を置いて、ディスクリート線５１の長手方向の先端と間隔を合わせた状態で、ディスクリート線５１に対して粘着フィルム５２を貼り付けて、複数のディスクリート線５１と粘着フィルム５２とが連結固定された状態となる。
【００１６】
図２（Ｂ）は、前工程２であり、図２（Ａ）のＹ−Ｙ矢視の側面図である。後述（図３、図４）のコネクタ３０に線材５０をハンダ付けするときの長手方向の位置合わせの基準になる位置に対して、上下方向からレーザー照射を大電力で行う。これにより、粘着フィルム５２およびディスクリート線５１の被覆５１ｂを切断する。
【００１７】
図２（Ｃ）は、前工程３である。粘着フィルム５２の後ろ側の余分な部分の位置に対して、上方向からレーザー照射を小電力で行い、粘着フィルム５２を切断する。  
図２（Ｄ）は、前工程４である。前記レーザー照射後、粘着フィルム５２と被覆５１ｂの余分な部分を剥離する。
【００１８】
そして、図２（Ｅ）が前加工の完成状態である。複数のディスクリート線５１の芯線５１ａがむき出しになっており、この部分が後工程（図３、図４）で、コネクタ３０の端子にハンダ付けされる。いる。また、このハンダ付けするときのコネクタ３０の端子と線材５０の長手方向の位置合わせの基準になる位置合わせ端部５２ａ、後端５２ｂができている。また、複数のディスクリート線５１の間隔は、コネクタ３０の端子のピッチに合う状態で連結固定されている。
【００１９】
図２（Ｆ）は、前加工の完成品の他の実施例である。被覆５１ｂが位置合わせ端部５２ａより先端側に飛び出るように前加工した状態である。
【００２０】
各部の寸法例について説明する。ディスクリート線５１は極めて細く、外形が０．１８ｍｍΦである。芯線５１ａは、３０μｍの単線７本からなるより線である。被覆５１ｂは厚さが５０μｍ程度である。このため、ディスクリート線５１はフレキシビリティに富んでいる。粘着フィルム５２は、厚さが６０〜８０μｍで比較的硬いテフロン（Ｒ）系の材料である。
【００２１】
なお、粘着フィルム５２をディスクリート線５１に貼り付けた後で、レーザーによりカットして、位置合わせ端部５２ａ、後端５２ｂを作成したが、最初から、位置合わせ端部５２ａと後端５２ｂ間の幅の粘着フィルム５２を用意して、ディスクリート線５１との位置決めを行って貼り付けるようにしてもよい。  
また、粘着フィルム５２を用いたが、位置合わせ端部５２ａと後端５２ｂがきちんと表れる固着材料であってもよい。
【００２２】
次に、前加工の終わった線材５０とコネクタ３０のハンダ付け工程（後工程）について説明する。  
図３は、本発明の実施例に係るコネクタ付きケーブルの外観斜視図である。ケーブル２０の内、コネクタ３０と線材５０の接続部分を図示する。他方のコネクタ４０と線材５０との接続部分は同等であり、説明は省略する。
【００２３】
コネクタ３０は、ハウジング３１に複数の端子３２が所定のピッチで実装されている。ハウジング３１の一部に長手方向位置合わせ端部３１ａがある。また、端子３２の配置に合った直交方向位置合わせ溝３１ｂがある。直交方向位置合わせ溝３１ｂの幅は、ディスクリート線５１の芯線５１ａが入る幅である。また、ハウジング３１の一部に凹部３１ｃがあり、ここには、ディスクリート線５１の被覆５１ｂ部分が置かれる。
【００２４】
まず、前加工が済んで連結された線材５０（図２（Ｅ））を、コネクタ３０の直交方向位置合わせ溝３１ｂ、凹部３１ｃに合わせて配置する。そして、線材５０の粘着フィルム５２の位置合わせ端部５２ａを、コネクタ３０の長手方向位置合わせ端部３１ａに突き当てて配置する。これにより、線材５０とコネクタ３０とは、直交方向および長手方向共にきちんと位置合わせされた状態で配置される。
【００２５】
なお、直交方向位置合わせ溝３１ｂの幅は、ディスクリート線５１の芯線５１ａが入る幅としたが、少し大きくして被覆５１ｂが入る幅としてもよい。そして、図２（Ｆ）の前加工が済んで連結された線材５０を直交方向位置合わせ溝３１ｂに置く。これにより、芯線５１ａよりは強度の強い被覆５１ｂ部分により直交方向の位置合わせを確実に行うことができる。
【００２６】
粘着フィルム５２の位置合わせ端部５２ａを用いて、長手方向の位置合わせを行う理由について以下に説明する。折り畳み式携帯端末のように自在に係合される筐体間の多数の信号線用として、ディスクリート線５１は、細くてフレキシビリティーに富んでいることが好ましい。しかし、ディスクリート線５１とコネクタ３０とを位置合わせする場合、ディスクリート線５１自体は外力で簡単に変形してしまうために、ディスクリート線５１の被覆５１ｂの端部や芯線５１ａの端部をコネクタのどこかに直接突き当てて、長手方向の位置合わせを行うことは難しい。
【００２７】
それに比べて、粘着フィルム５２は、比較的硬いテフロン（Ｒ）系の材料であり、しかも、直交方向に幅広の形状で連結しているため、粘着フィルム５２の位置合わせ端部５２ａとコネクタ３０の長手方向位置合わせ端部３１ａを突き当てて位置合わせを行っても変形が生じることなく、正確に長手方向の位置合わせを行うことができる。このように、超小型のコネクタの端子と極細の線材５０の長手方向の位置合わせを正確に行うことができる。
【００２８】
また、ディスクリート線５１は、全体の長手方向の内、コネクタ内に実装される端部部分のみが粘着フィルム５２で連結固定されている。したがって、長手方向の中間の部分は、フリーの状態なので、自在に係合される筐体間の線材として、フレキシビリティーに富んだ動きが可能である。
【００２９】
次に、ハンダ付け工程について説明する。  
図４は、本発明の実施例に係るコネクタ付きケーブルの断面図である。  
図４（Ａ）は、位置合わせ後のハンダ付けを説明する図であり、ケーブル２０、冶具８０、ヒートバー９０を図示する。ケーブル２０は、コネクタ３０、線材５０などにより構成される。冶具８０は、コネクタ３０と線材５０を位置合わせし、さらに、ハンダ付けを行うための冶具である。ヒートバー９０は、ハンダ付け装置である。
【００３０】
まず、冶具８０にコネクタ３０を置き、次に、図３で説明したように、前加工の済んだ線材５０（図２（Ｅ））をコネクタ３０に配置する。このとき、線材５０の粘着フィルム５２の位置合わせ端部５２ａを、コネクタ３０の長手方向位置合わせ端部３１ａに突き当てて配置する。また、各ディスクリート線５１を直交方向位置合わせ溝３１ｂに合わせて配置する。
【００３１】
この状態において、粘着フィルム５２の後端５２ｂは、冶具８０のストッパー８１の端面にぴったりと入る寸法に前加工してある。これにより、線材５０は、長手方向へ移動することが防止される。
【００３２】
なお、粘着フィルム５２の後端５２ｂは、冶具８０のストッパー８１により、長手方向の図の左側への移動が防止されているが、別の方法として、コネクタ３０の凹部３１ｃの部分の突起を長手方向位置合わせ端部３１ａと同様に高くして、粘着フィルム５２が長手方向位置合わせ端部３１ａと凹部３１ｃの部分の高い突起の間に入るようにしてもよい。
【００３３】
また、コネクタ３０に長手方向位置合わせ端部３１ａを設けずに、冶具８０のストッパー８１に粘着フィルム５２の後端５２ｂを突き当てて、長手方向の位置合わせを行うようにしてもよい。
【００３４】
このようにして、コネクタ３０と線材５０が位置合わせされた状態で、ヒートバー９０を下方向に押し当てて、芯線５１ａと端子３２をハンダ付けして、ハンダ付けが完了する。このハンダ付けにより、電気的な導通接合と共に、コネクタ３０から線材５０の引き抜きも防止される。
【００３５】
図４（Ｂ）は、ハンダ付け後の保護シェルの取り付けを説明する図である。保護シェル３３を粘着フィルム５２に押し当てるようにしてハウジング３１に取り付ける。保護シェル３３の摩擦面３３ａは、粘着フィルム５２に押し当てる面であり、保護シェル３３と粘着フィルム５２間の摩擦が増えるように、摩擦増加の加工を施しておく。例えば、小さな爪や粗面加工を行う。これによっても、コネクタ３０から線材５０の引き抜きやガタ付きも防止される。
【００３６】
本発明の実施例によれば、細くてフレキシビリティーに富んだディスクリート線を多数用いたコネクタ付きのケーブルにおいて、ディスクリート線とコネクタとを簡単な方法で正確に位置決めしてから導通接合できるコネクタ付きケーブルとすることができる。
【００３７】
なお、実施例の携帯端末は、携帯電話機、ＰＤＡ、カメラ、ノートパソコンなどに適用することができる。また、実施例のケーブルは、これらの携帯端末の可動部分の接続用として適用することができる。
【図面の簡単な説明】
【００３８】
【図１】本発明の実施例に係る携帯端末の構造図。
【図２】本発明の実施例に係るコネクタ付きケーブルにおいて、コネクタの端子に線材をハンダ付けする前の線材の前加工を説明する図。
【図３】本発明の実施例に係るコネクタ付きケーブルの外観斜視図。
【図４】本発明の実施例に係るコネクタ付きケーブルの断面図。
【符号の説明】
【００３９】
１  上筐体
２  下筐体
３  ヒンジ
４  音声レシーバ
５  表示部
６  カメラ
７  操作キー
８  上基板
９  主基板
１０  制御部
２０  ケーブル
３０  コネクタ
３１  ハウジング
３１ａ  長手方向位置合わせ端部
３１ｂ  直交方向位置合わせ溝
３１ｃ  凹部
３２  端子
３３  保護シェル
３３ａ  摩擦面
４０  コネクタ
５０  線材
５１  ディスクリート線
５１ａ  芯線
５１ｂ  被覆
５２  粘着フィルム
５２ａ  位置合わせ端部
５２ｂ  後端
７０  前工程用冶具
７１  Ｕ溝
８０  冶具
８１  ストッパー
９０  ヒートバー
１００  携帯端末
【図１】
2008300085.tif 000003
【図２】
2008300085.tif 000004
【図３】
2008300085.tif 000005
【図４】
2008300085.tif 000006